(57)【特許請求の範囲】
【請求項１】
保孔管の先端に取り付けられる保孔管の共抜け防止器具であって、
１端に円錐体が装着された円筒部と、
前記円筒部の円周上に設けられた複数の窓と、
弾性体からなり、前記複数の窓の円錐体側の１端から円錐体方向に所定の間隔を置いて円錐体の内周部に１端が固定され、他端に係留部を有するストッパーと、
１端に引出し用部材が取り付けられ、他端にストッパー係止部が設けられた留め金と、を含み、
前記ストッパーの係留部は、保孔管挿入時に前記留め金に係留されており、ケーシング引き抜き時には留め金を操作して留め金から外し、ストッパーの他端を弾性力で円筒部の窓から円筒部の外部に飛び出させ、
前記引き出し用部材は、ケーシング引き抜き時に留め金を引っ張ることによりストッパーを留め金から外し、飛び出したストッパーの先端が壁孔に引っ掛かって保孔管の共抜けが防止できることを特徴とする共抜け防止器具。
【請求項２】
保孔管の先端に取り付けられる保孔管の共抜け防止器具であって、
１端に円錐体が装着された円筒部と、前記円筒部の円周上に設けられた複数の窓と、弾性体からなり、前記複数の窓の円錐体側の１端から円錐体方向に所定の間隔を置いて円錐体の内周部に１端が固定され、他端に係留部を有するストッパーと、
１端に引出し用部材が取り付けられ、他端にストッパー係止部が設けられた留め金と、を含み、
前記ストッパーの係留部は、保孔管挿入時に前記留め金に係留されており、ケーシング引き抜き時には留め金を操作して留め金から外し、ストッパーの他端を弾性力で円筒部の窓から円筒部の外部に飛び出させ、前記保孔管の連結は、連結する２つの保孔管の連結部の内側にステンレス鋼管製の内ソケットを挿入して行ない、
前記引き出し用部材は、ケーシング引き抜き時に留め金を引っ張ることによりストッパーを留め金から外し、飛び出したストッパーの先端が壁孔に引っ掛かって保孔管の共抜けが防止できることを特徴とする共抜け防止器具。
【請求項３】
前記ストッパーは、長方形をなし、中央部に留め金係止孔を有することを特徴とする請求項１または２記載の共抜け防止器具。
【請求項４】
前記留め金の操作は、留め金他端のストッパー係止部を保孔管挿入口方向から引出し用部材で引き抜くか、あるいは留め金他端のストッパー係止部を円錐体頂部の孔から挿入した引出し用部材で引き抜いてストッパーと留め金の係留を解除することを特徴とする請求項１または２記載の共抜け防止器具。
【請求項５】
前記留め金には複数のストッパーが共に係留され、ストッパー開放時には同時に開放されることを特徴とする請求項１または２記載の共抜け防止器具。
【請求項６】
前記ストッパーの開放は、留め金先端に係止されたストッパー係止部引張力によって取り外すことを特徴とする請求項１または２記載の共抜け防止器具。
【請求項７】
前記内ソケットの両端部の外周には、連結される保孔管の内周に食い込むようねじ条の凹凸が設けられていることを特徴とする請求項２記載の共抜け防止器具。
【発明の詳細な説明】
【技術分野】
【０００１】
本発明は、保孔管の共抜け防止器具に係り、より詳しくは、保孔管挿入後に孔壁を保持しているケーシングを抜き取る際ケーシングと共に保孔管が抜けることを防止する保孔管の共抜け防止器具に関する。
【背景技術】
【０００２】
集水ボーリング工事は、横孔を掘削して横孔内に集水管を挿入し地下水を恒常的に排水して地中の間隙水圧を低下させ、地すべりを防止することを目的としている。
集水ボーリング工事では、以下の問題がある。
(1)掘削された横孔に集水管が挿入できない。
(2)集水管の腐食による集水不能。
(3)集水管の目詰まりによる集水不能。
このうち、掘削された横孔に集水管が挿入できないケースとしては、図１に示すように、目的深度までの掘削は完了しても，ケーシングの前方が崩壊して集水管が挿入できない場合、あるいは、図２に示すように、集水管は挿入できたがケーシングと集水管が共抜けして集水管が横孔内に留まらない場合がある。
【０００３】
多量の地下水が湧き出している場合は、孔壁崩壊が発生してケーシング内に土砂が流入してケーシング抜き取り時に集水管が共に抜けてしまうことが起こりやすい。
共抜けを防止する方法として、図３に示す集水管ストッパーを集水管の先端に取り付ける方法があるが、この方法では、集水管が孔崩壊でケーシング内に留まった場合、ケーシングと集水管は切断しないと回収ができず、全量処分されることになる危険性がある。
【先行技術文献】
【特許文献】
【０００４】
【特許文献１】特開平０６−３０６８４８号公報
【発明の概要】
【発明が解決しようとする課題】
【０００５】
本発明の目的とするところは、共抜け防止が可能な共抜け防止工具を提供することにある。
【課題を解決するための手段】
【０００６】
本発明は、保孔管１の先端に取り付けられる保孔管１の共抜け防止器具２であって、
１端に円錐体３が装着された円筒部４と、
前記円筒部４の円周上に設けられた複数の窓５と、
弾性体からなり、前記複数の窓５の円錐体３側の１端から円錐体３方向に所定の間隔を置いて円錐体３の内周部に１端が固定され、他端に係留部６を有するストッパー７と、
１端に引出し用部材８が取り付けられ、他端にストッパー係止部９が設けられた留め金１０と、
を含み、
前記ストッパー７の係留部６は、保孔管１の挿入時に前記留め金１０に係留されており、ケーシング１１の引き抜き時には留め金１０を操作して留め金１０から外し、ストッパー７の他端を弾性力で円筒部４の窓５から円筒部４の外部に飛び出させることを特徴とする。
【０００７】
また、本発明は、保孔管の先端に取り付けられる保孔管の共抜け防止器具であって、
１端に円錐体が装着された円筒部と、
前記円筒部の円周上に設けられた複数の窓と、
弾性体からなり、前記複数の窓の円錐体側の１端から円錐体方向に所定の間隔を置いて円錐体の内周部に１端が固定され、他端に係留部を有するストッパーと、
１端に引出し用部材が取り付けられ、他端にストッパー係止部が設けられた留め金と、
を含み、
前記ストッパーの係留部は、保孔管挿入時に前記留め金に係留されており、ケーシング引き抜き時には留め金を操作して留め金から外し、ストッパーの他端を弾性力で円筒部の窓から円筒部の外部に飛び出させ、
前記保孔管の連結は、連結する２つの保孔管の連結部の内側にステンレス鋼管製の内ソケットを挿入して行うこと、
を特徴とする。
【０００８】
前記ストッパーは、長方形をなし、中央部に留め金１０の係止孔を有することを特徴とする。
【０００９】
前記留め金１０の操作は、留め金１０の他端のストッパー係止部９を保孔管挿入口方向から引出し用部材８で引き抜くか、あるいは留め金１０の他端のストッパー係止部９を円錐体３の頂部の孔１２から挿入した引出し用部材８で引き抜いてストッパー７と留め金１０の係留を解除することを特徴とする。
【００１０】
前記留め金１０には複数のストッパー７が共に係留され、ストッパー７の開放時には同時に開放されることを特徴とする。
【００１１】
前記ストッパー７の開放は、留め金１０の先端に係止されたストッパー係止部９を引張力によって取り外すことを特徴とする。
【００１２】
前記内ソケットの両端部の外周には、連結される保孔管の内周に食い込むようねじ条の凹凸が設けられていることを特徴とする。
【発明の効果】
【００１３】
本発明によれば、本発明の共抜け防止器具２を保孔管１の先端に取り付け、ストッパーが共抜け防止器具２の内部に挿入された状態で所定の深度まで保孔管１を挿入してストッパーを開放すると、ケーシングを引き抜く際に共抜けが容易に防止できる。
【図面の簡単な説明】
【００１４】
【図１】目的深度までの掘削は完了しても，ケーシングの前方が崩壊して集水管が挿入できない場合を示す図である。
【図２】集水管は挿入できたがケーシングと集水管が共抜けして集水管が横孔内に留まらない場合を示す図である。
【図３】従来、共抜け防止に使用された先端ストッパーである。
【図４】本願発明の共抜け防止器具の構造を示す図で、（ａ）は、保孔管入り口方向から引張る方式を示し、（ｂ）は、円錐体頂部から引張る方式を示し、（ｃ）は、ストッパーが窓から飛び出した状態を示す図である。
【図５】（ａ）は、本願発明の共抜け防止器具の平面図、（ｂ）は、ストッパーの平面図、（ｃ）は、留め金の平面図である。
【図６】ケーシング１１、アウターロッド１５の２重菅掘削により横孔を掘削した状態を示す図である。
【図７】ケーシング１１、アウターロッド１５の２重菅掘削により横孔を掘削した後ケーシング１１を抜き取った状態を示す図である。
【図８】ストッパーを装着した保孔管を挿入後留め金を回収した図である。
【図９】ケーシングの先方が崩落し、保孔管の挿入が困難な状態を示す図である。
【図１０】２つの保孔管の連結部の内側に装着される内ソケットを示す図である。
【図１１】内ソケットを示す図である。
【発明を実施するための形態】
【００１５】
本願発明は、共抜け防止器具のストッパーが共抜け防止器具の円筒部に収納された状態で共抜け防止器具を保孔管の先端に装着し、保孔管を所定の深度まで挿入した後、留め金を操作してストッパーを留め金から外しストッパーの先端を円筒部の窓から円筒部の外部に飛び出させ、ストッパーの先端を壁孔に引っ掛けて保孔管がケーシングと共に引き抜かれること、即ち共抜けを防止するものである。
【００１６】
本願発明は、保孔管１の先端に取り付けられる保孔管１の共抜け防止器具２であって、１端に円錐体３が装着された円筒部４と、前記円筒部４の円周上に設けられた複数の窓５と、弾性体からなり前記複数の窓５の円錐体３側の内側に１端が固定され、他端には係留部６を有するストッパー７と、１端に引出し用部材８が取り付けられ、他端にストッパー係止部９が設けられた留め金１０と、を含み、
前記ストッパー７の係留部６は、保孔管１の挿入時に前記留め金１０に係留されており、ケーシング１１の引き抜き時には留め金１０を操作して留め金１０から外し、ストッパー７の他端を弾性力で円筒部４の窓５から円筒部４の外部に飛び出させるもので、飛び出したストッパー７の先端である他端を壁孔１３に引っ掛けて保孔管１の共抜けを防止するようになっている。
【００１７】
また、図１０に示す通り、保孔管の連結は、連結する２つの保孔管の連結部の内側にステンレス鋼管製の内ソケット１６を挿入して行うことができる。
図１１に示す通り、内ソケット１６の両端部の外周には、連結される保孔管の内周に食い込むようねじ条の凹凸が設けられている。
【００１８】
以下、保孔管１の共抜け防止器具２の使用状況について説明する。
図６、７に示す通り、ケーシング１１、アウターロッド１５の２重菅掘削により横孔を掘削した後ケーシング１１を抜き取る。
図８に示す通り保孔管１を挿入し、引出し用部材８により留め金１０を回収してストッパー７を飛び出させてケーシング１１を抜き取る。
図９に示す通り、ケーシング１１を抜き取った後にケーシング１１の先端部前方が崩壊し、集水管である保孔管１の挿入が困難になることがあるが、その際は、ストッパー７を装着した保孔管１を回収し、再度ケーシング１１の挿入を開始する
実施例では、保孔管１が５０ｍｍ径、アウターロッド１５が１３３ｍｍ径であった。
【００１９】
次に、保孔管１の共抜け防止器具２の機構について説明する。
図４（ａ）に共抜け防止器具２の全体図を、（ｂ）にストッパー７を、（ｃ）に留め金１０を示す。
図４、５に示すとおり、保孔管１の先端に取り付けられる保孔管１の共抜け防止器具２は、円筒部４の先端部に円錐体３が装着され、円筒部４の円周上２カ所に窓５が設けられている。２カ所の窓の円錐体３側の内側にストッパー７の１端がビスで固定されている。ストッパー７は、縦弾性係数が高いばね鋼あるいはステンレス製の長方形からなり、予め長手方向が半円形になるように成形してから１端を窓の円錐体３側の内側に固定し、半円形の長手方向の他端は、平坦に延ばして留め金１０に固定されている。
【００２０】
ストッパー７は、ばね鋼が高い弾性値を有するため、留め金１０を外してストッパー７の他端が開放されると窓５から円筒部４の外側に飛ぶ出すことが出来る。
留め金１０は、１端に２個のストッパーを留めるかぎ状の先端を有しており、他端に引出し用部材８を結合する孔が明けられている。
ケーシング１１引き抜き時には留め金１０を引出し用部材８で引っ張ることによりストッパー７を留め金１０から外し、ストッパー７の他端が弾性力で円筒部４の窓５から円筒部４の外部に飛び出すようになっている。飛び出したストッパー７の先端が壁孔１３に引っ掛かって保孔管１の共抜けが防止できる。
【００２１】
実施例の保孔管１の共抜け防止器具２は、全長が３２０ｍｍで、そのうち円錐体３が４０ｍｍ、円筒部４が２８０ｍｍとなっており、円筒の肉厚は４ｍｍ、径は、５０ｍｍであった。
ストッパー７は、長さ１００ｍｍ、幅１５ｍｍ、肉厚１ｍｍのバネ鋼製であり、１端の長手方向の２カ所を円筒部４の内周部にビス留めされていた。
留め金１０は、幅３０ｍｍ、長さ２５ｍｍ、肉厚３ｍｍの鋼材であった。
【００２２】
本発明の共抜け防止器具２を保孔管１の先端に取り付け、ストッパーが共抜け防止器具２の内部に挿入された状態で所定の深度まで保孔管１を挿入してストッパーを開放すると、ケーシングを引き抜く際に共抜けが容易に防止できる。
【００２３】
また、図１０に示す通り、保孔管の連結は、ステンレス鋼管製の内ソケット１６を挿入して行うことができ、 図１１に示す通り、内ソケット１６の両端部の外周には、ねじ条の凹凸が設けられている。
保孔管には、通常塩化ビニル製の管（塩ビ管）が使用されるため、保孔管の連結に当たっては、先ずバーナーかヒートガンで塩ビ管を暖めて軟らかくする。次に、暖められて軟化した塩ビ管に内ソケットを差しこむと、連結部が冷却されるに従い、内ソケットのねじ状凹凸が塩ビ管に食い込み、この状態で連結部が冷却されると塩ビ管が硬化して強度が高く外径に凹凸のない長尺の保孔管が得られる。
【符号の説明】
【００２４】
１  保孔管，集水管
２  共抜け防止器具
３  円錐体
４  円筒部
５  窓
６  係留部
７  ストッパー
８  引出し用部材
９  ストッパー係止部
１０  留め金
１１  ケーシング
１２    頂部の孔
１３      壁孔
１５    アウターロッド
１６  内ソケット
【図１】
0006755469.tif 000002
【図２】
0006755469.tif 000003
【図３】
0006755469.tif 000004
【図４】
0006755469.tif 000005
【図５】
0006755469.tif 000006
【図６】
0006755469.tif 000007
【図７】
0006755469.tif 000008
【図８】
0006755469.tif 000009
【図９】
0006755469.tif 000010
【図１０】
0006755469.tif 000011
【図１１】
0006755469.tif 000012